(57)【要約】【課題】車椅子の利用者が利用し易い酸素ルームを提供する。【解決手段】本発明における酸素ルーム１は、利用者を内部に収容可能な収容部２と、収容部２に形成された開口部３と、収容部の内部に酸素を供給する気圧制御ユニット６、及び濃縮酸素装置７と、収容部の内部方向に可動することにより、開口部３を開放可能な扉部４と、扉部４の可動範囲の下方に設けられ、車椅子の利用者を昇降するための昇降機１０を備えている。これにより、車椅子の利用者が入室や、退室が容易となるので、車椅子の利用者が利用することが可能な酸素ルームを提供することができる。【選択図】図２
2020081422.tif 000002
【特許請求の範囲】
【請求項１】
利用者を内部に収容可能な金属製の収容部と、
前記収容部に形成された開口部と、
前記収容部の内部の気圧を制御する気圧制御部と、
前記収容部の内部方向に可動することにより、前記開口部を開放可能な扉部と、
前記収容部の内部であって、前記扉部の可動範囲の下方に設けられ、車椅子の利用者を昇降するための昇降機と、
を備えたことを特徴とする酸素ルーム。
【請求項２】
前記収容部は、
利用者が内部に滞在するための床部を備えており、
前記昇降機は、
利用者が乗るための昇降台と、
前記昇降台を上昇させるための操作を受け付ける上昇操作受付部と、
前記昇降台を下降させるための操作を受け付ける下降操作受付部と、
を備えており、
前記昇降台は、
前記下降操作受付部により前記昇降台を下降させるための操作が受け付けられた場合には、前記床部と略水平になる位置まで下降され、
前記上昇操作受付部により前記昇降台を上昇させるための操作が受け付けられた場合には、前記床部よりも高い位置まで上昇されることを特徴とする請求項１に記載の酸素ルーム。
【発明の詳細な説明】
【技術分野】
【０００１】
本発明は、酸素ルームに関するものである。
【背景技術】
【０００２】
従来では、利用者を収容する収容部の内部の気圧を標準気圧以上に加圧する酸素ルームが知られている（例えば、特許文献１）。このような酸素ルームは、収容部の内部の気圧を標準気圧以上に加圧することにより、利用者の怪我の早期回復や、認知症の治療等の効果を期待することができる。
【先行技術文献】
【特許文献】
【０００３】
【特許文献１】実用新案登録３２１４０３６号
【発明の概要】
【発明が解決しようとする課題】
【０００４】
このような酸素ルームは、利用者の怪我の早期回復や、認知症の治療等の効果が期待できることから、高齢者や、怪我をした者が利用することが考えられる。ここで、高齢者や、怪我をした者は、身体が不自由である場合が多く、車椅子を利用している者も少なくない。このため、身体が不自由である高齢者や、怪我をした者が酸素ルームを利用する場合には、車椅子に乗った状態で入室する必要がある。
【０００５】
しかしながら、酸素ルームには、入り口に段差が設けられている場合が多く、身体が不自由である高齢者や、怪我をした者が車椅子に乗った状態で、酸素ルームを利用することは困難である。
【０００６】
本発明は、このような問題点に鑑み、車椅子の利用者が利用し易い酸素ルームを提供することを目的とする。
【課題を解決するための手段】
【０００７】
このような課題を解決するために、本発明に係る酸素ルームは、利用者を内部に収容可能な金属製の収容部と、前記収容部に形成された開口部と、前記収容部の内部の気圧を制御する気圧制御部と、前記収容部の内部方向に可動することにより、前記開口部を開放可能な扉部と、前記収容部の内部であって、前記扉部の可動範囲の下方に設けられ、車椅子の利用者を昇降するための昇降機と、を備えたことを特徴とする。
【０００８】
また、本発明に係る酸素ルームにおいて、前記収容部は、利用者が内部に滞在するための床部を備えており、前記昇降機は、利用者が乗るための昇降台と、前記昇降台を上昇させるための操作を受け付ける上昇操作受付部と、前記昇降台を下降させるための操作を受け付ける下降操作受付部と、を備えており、前記昇降台は、前記下降操作受付部により前記昇降台を下降させるための操作が受け付けられた場合には、前記床部と略水平になる位置まで下降され、前記上昇操作受付部により前記昇降台を上昇させるための操作が受け付けられた場合には、前記床部よりも高い位置まで上昇されることを特徴とする。
【発明の効果】
【０００９】
本発明によれば、車椅子の利用者が利用し易い酸素ルームを提供することができる。
【図面の簡単な説明】
【００１０】
【図１】酸素ルームの外観斜視図の一例を示す図である。
【図２】収容部の内部構造の一例を示す図である。
【図３】昇降機の各構成の一例を示す図である。
【図４】酸素ルームの断面図の一例を示す図である。
【図５】酸素ルームの入室態様の一例を示す図である。
【図６】酸素ルームの退室態様の一例を示す図である。
【図７】第２実施形態における酸素ルームの外観斜視図の一例を示す図である。
【発明を実施するための形態】
【００１１】
以下、本発明の実施形態について図面を参照しながら具体的に説明する。
【００１２】
（第１実施形態）
図１〜図６を用いて、本発明における第１実施形態について説明を行う。
【００１３】
（酸素ルーム１の外観斜視図）
まず、図１を用いて、本発明における酸素ルーム１の構成について具体的に説明を行う。なお、図１は、開口部３が開放された状態の酸素ルーム１の外観斜視図である。
【００１４】
（酸素ルーム１）
本発明における酸素ルーム１は、収容部２と、気圧制御ユニット６と、濃縮酸素装置７により構成される。
【００１５】
（収容部２）
収容部２は、収容部２の底面に設けられている板状の底面板と、収容部２の正面視左側面に設けられている板状の左側面板と、収容部２の正面視右側面に設けられている板状の右側面板と、収容部２の正面側に設けられている板状の正面板と、収容部２の背面側に設けられている板状の背面板と、収容部２の天井側に設けられている板状の天井板とにより構成されており、溶接、ビス止め等により結合されることで箱形状に形成されている。また、収容部２は、酸素ルーム１を利用する利用者を収容可能な空間を内部に有している。
【００１６】
また、収容部２の材質は、強度に優れた金属製（例えば、鋼、鉄）となっている。これにより、収容部２の耐重圧性、耐衝撃性が向上するので、収容部２の内部にいる利用者の安全性が向上する。なお、収容部２の材質は、強度に優れた材質であればどのような材質であってもよい。
【００１７】
ここで、本実施形態において、天井板には、天井板を補強するための金属製の天井板補強柱が格子状に設けられている。これにより、例えば、地震等で鉄筋や鉄骨構造物が上方から衝突した際であっても、鉄筋や鉄骨構造物が天井板に衝突する前に、天井板補強柱に衝突することとなるので、酸素ルーム１の安全性が向上する。なお、天井板補強柱は、溶接、ビス止め等により天井板と結合される。
【００１８】
同様に、正面板には、正面板を補強するための金属製の正面板補強柱が格子状に設けられており、底面板には、底面板を補強するための金属製の底面板補強柱が格子状に設けられている。
【００１９】
また、本実施形態において、右側面板には、右側面板を補強するための金属製の右側面板補強柱が設けられている。これにより、例えば、地震等で鉄筋や鉄骨構造物が右側から衝突した際であっても、鉄筋や鉄骨構造物が右側面板に衝突する前に、右側面板補強柱に衝突することとなるので、酸素ルーム１の安全性が向上する。なお、右側面板補強柱は、溶接、ビス止め等により右側面板と結合される。
【００２０】
同様に、左側面板には、左側面板を補強するための金属製の左側面板補強柱が設けられており、背面板には、背面板を補強するための金属製の背面板補強柱が設けられている。
【００２１】
なお、天井板補強柱、正面板補強柱、底面板補強柱、右側面板補強柱、左側面板補強柱、及び背面板補強柱を総称して「補強柱」という。
【００２２】
ここで、本実施形態において、収容部２は、奥行き（Ｄ）が１２０ｃｍ、幅（Ｗ）が２６０ｃｍ、高さ（Ｈ）が１５０ｃｍ程度の大きさとなっており、酸素ルーム１の利用者を複数人収容可能となっているが、収容部２の大きさは、少なくとも１人の利用者を収容可能な大きさであればどのような大きさであってもよい。なお、収容部２の内部には、気圧制御ユニット６に設けられている後述の受話器６ｂと通話可能な受話器（図示せず）が設けられている。
【００２３】
（開口部３）
開口部３は、収容部２の正面板に設けられており、酸素ルーム１の利用者が収容部２の内部に出入り可能な大きさにより形成されている。ここで、開口部３の大きさは、利用者が出入り可能な大きさであれば、どのような大きさであってもよい。また、開口部３が設けられる位置は、正面板ではなく、他の位置に設けられていてもよい。例えば、開口部が左側面板や、右側面板、背面板、天井板に設けられていてもよい。
【００２４】
（扉部４）
扉部４は、収容部２の正面板に設けられており、開口部３を開放可能、及び閉塞可能に設けられている。具体的には、扉部４は、収容部２の内部方向に可動することにより開口可能となっている。ここで、本実施形態における扉部４の大きさは、開口部３よりも大きい。また、扉部４が設けられる位置は、開口部３が設けられている位置に合わせて、別の位置に設けられていてもよい。なお、本実施形態において、扉部４は、開き戸となっているが、これに限定されることはなく、例えば、引き戸や、折れ戸であってもよい。
【００２５】
（窓部５）
窓部５は、収容部２の正面板に設けられており、収容部２の外部から収容部２の内部を視認可能とするために設けられている。また、窓部５を設けることにより、収容部２の内部にいる利用者の閉塞感を軽減することができる。ここで、窓部５は、正面板以外の位置（例えば、左側面板、右側面板、背面板）に設けられていてもよく、複数設けられていてもよい。なお、窓部５の大きさは、どのような大きさであってもよい。
【００２６】
（気圧制御ユニット６）
気圧制御ユニット６は、収容部２や、濃縮酸素装置７と接続されており、収容部２の内部の気圧を制御するために設けられている。また、気圧制御ユニット６は、気圧制御ユニット６に電力を供給するための気圧制御ユニット用電源ボタン６ａと、収容部２の内部にいる利用者と通話可能な受話器６ｂと、収容部２の内部の気圧を制御するための操作を検出する制御パネル６ｃを有している。
【００２７】
（濃縮酸素装置７）
濃縮酸素装置７は、気圧制御ユニット６と接続されており、濃縮酸素装置７に電力を供給するための濃縮酸素装置用電源ボタン７ａと、濃縮酸素装置７の内部に設けられており、空気中の窒素、及び二酸化炭素を取り除くためのゼオライト（図示せず）を有している。
【００２８】
（酸素ルーム１の利用方法）
ここで、酸素ルーム１の利用方法について説明を行う。まず、気圧制御ユニット用電源ボタン６ａと、濃縮酸素装置用電源ボタン７ａを操作することにより、気圧制御ユニット６と、濃縮酸素装置７の電源をＯＮにする。次に、制御パネル６ｃを操作することにより、気圧制御ユニット６から濃縮酸素装置７に対して収容部２の内部の気圧を制御する制御信号が送信されることとなる。また、濃縮酸素装置７は、外気を取り込み、この取り込んだ外気から、ゼオライトにより窒素、及び二酸化炭素を取り除くことにより、濃度の濃い酸素を精製し、濃度の濃い酸素を気圧制御ユニット６に供給する。そして、気圧制御ユニット６は、濃縮酸素装置７から供給された濃度の濃い酸素を、収容部２の内部に供給する処理を行う。これらにより、収容部２の内部の気圧が制御されることとなる。なお、この後、利用者は、扉部４を開いて収容部２の内部に入り、扉部４を閉めることで酸素ルーム１を利用することとなる。
【００２９】
（外側酸素排出弁８）
外側酸素排出弁８は、正面板に設けられており、収容部２の内部の酸素を排出するために設けられている。ここで、収容部２の外側から外側酸素排出弁８を操作することにより、収容部２の内部の酸素を排出することができる。
【００３０】
（内側酸素排出弁９）
内側酸素排出弁９は、正面板に設けられており、外側酸素排出弁８と同様に、収容部２の内部の酸素を排出するために設けられている。ここで、利用者は、収容部２の内部から内側酸素排出弁９を操作することにより、収容部２の内部の酸素を排出することができる。
【００３１】
（収容部２の内部構造図）
次に、図２を用いて、収容部２の内部構造の説明を行う。なお、図２は、収容部２の内部構造図である。
【００３２】
（昇降機１０）
昇降機１０は、昇降台１１と、リンクフレーム１２と、ベースフレーム１３と、手摺り１４と、フットポンプ１５とにより構成されている。また、昇降機１０は、扉部４の可動範囲の下方に設けられている。なお、昇降機１０については、図３を用いて詳述する。
【００３３】
（昇降機１０の各構成）
次に、図３を用いて、昇降機１０の各構成について説明を行う。なお、図３は、昇降機１０の各構成を示す図である。
【００３４】
（昇降台１１）
昇降台１１は、矩形であって、車椅子の利用者を昇降するための台である。ここで、具体的には後述するが、昇降台１１は、扉部４を開放した場合であっても、扉部４と昇降台１１とが当接することはない。
【００３５】
（リンクフレーム１２）
リンクフレーム１２は、昇降台１１と、ベースフレーム１３とに取り付けられ、昇降台１１を上昇、及び下降するために設けられている。
【００３６】
（ベースフレーム１３）
ベースフレーム１３は、昇降台１１の下方に設けられており、リンクフレーム１２に取り付けられている。
【００３７】
（手摺り１４）
手摺り１４は、昇降台１１に取り付けられており、車椅子の利用者が酸素ルーム１に入室する際に掴まるために設けられている。ここで、手摺り１４は、扉部４を開放したときに、扉部４と当接しない位置に設けられている。具体的には、手摺り１４は、正面視右側に取り付けられているが、これに限定されることはなく、奥側に取り付けることも可能である。
【００３８】
（フットポンプ１５）
フットポンプ１５は、昇降台１１を上昇、及び下降させるために設けられている。ここで、フットポンプ１５は、ペダル１６と、油圧ホース１７と、油圧シリンダ１８と、ロック解除レバー１９とにより構成されている。
【００３９】
（ペダル１６）
ペダル１６は、昇降台１１を上昇させる操作を行うために設けられている。具体的には、ペダル１６が踏み込まれると、油圧ホース１７や、油圧シリンダ１８を介して昇降台１１が上昇することとなる。
【００４０】
（油圧ホース１７）
油圧ホース１７は、ペダル１６と、油圧シリンダ１８とを接続するために設けられている。
【００４１】
（油圧シリンダ１８）
油圧シリンダ１８は、リンクフレーム１２に取り付けられており、油圧ホース１７と接続されている。また、油圧シリンダ１８は、昇降台１１を上昇させるために設けられている。
【００４２】
（ロック解除レバー１９）
ロック解除レバー１９は、昇降台１１を下降させるために設けられている。ここで、ロック解除レバー１９が正面視右方向に操作されることで、上昇している昇降台１１が下降されることとなる。
【００４３】
（酸素ルーム１の断面図）
次に、図４を用いて、酸素ルーム１の断面図の説明を行う。なお、図４は、酸素ルーム１の断面図である。
【００４４】
（パッキン２０）
パッキン２０は、収容部２の内部であって、開口部３の周縁に取り付けられている。また、パッキン２０は、収容部２の内部の酸素が収容部２の外部に漏れてしまうことを防止するために設けられている。なお、パッキン２０の材質は、シリコンゴム等のゴムや、ポリアミド、ポリエチレン等の樹脂からなる。
【００４５】
（スロープ２１）
スロープ２１は、車椅子の利用者が収容部２の内部に入室するために用いられる。ここで、本実施形態において、スロープ２１は、酸素ルーム１とは別体に設けられている。
【００４６】
（床部２２）
床部２２は、収容部２の内部に設けられており、酸素ルーム１の利用者が滞在するために設けられている。また、床部２２の高さｈ１は、昇降機１０の昇降台１１を下降させたときの高さ、より具体的には、昇降台１１の高さｈ２と、ベースフレーム１３の高さｈ３とを合わせた高さと略同等となっている。これにより、昇降台１１を下降させたときには、昇降台１１と、床部２２とが略水平となる。なお、床部２２の材質は、適宜設定可能である。
【００４７】
ここで、酸素ルーム１は、収容部２の内部の酸素が外部に漏れてしまうことを防止するために、収容部２の内部、より具体的には、収容部２の内部であって、開口部３の周縁にパッキン２０を取り付ける必要がある。また、収容部２の内部の酸素が外部に漏れてしまうことを防止するためには、扉部４とパッキン２０とが当接する必要がある。このため、扉部４の大きさは、開口部３よりも大きくする必要がある。そうすると、収容部２の下部には、所定の高さが必要となる。
【００４８】
そして、酸素ルーム１は、収容部２の下部に所定の高さが必要となることから段差が生じることとなる。このため、車椅子の利用者が収容部２の内部に入室するためには、スロープ２１を用いて入室する必要がある。
【００４９】
一方で、収容部２の内部は、できる限り広い方が利用者にとって快適である。ここで、収容部２の床部２２を上述した所定の高さよりも低くすることで、酸素ルーム１の設置スペースを広くすることなく、収容部２の内部スペースを広くすることができる。
【００５０】
しかしながら、床部２２を低くすると、収容部２に入室する際に、段差が生じてしまうので、車椅子の利用者が入室した後、床部２２に移動し難いという問題点が生じてしまう。
【００５１】
これに対して、本実施形態における酸素ルーム１は、昇降機１０を備えているので、車椅子の利用者であっても利用し易くなる。
【００５２】
また、本実施形態における酸素ルーム１は、昇降台１１を上昇させたときに、収容部２の下部の所定の高さと、昇降台１１の高さとが略同等となるので、車椅子の利用者が収容部２に入室することが容易となる。一方で、昇降台１１を下降させたときに、昇降台１１と、床部２２とが略水平となるので、車椅子の利用者が収容部２に入室した後、床部２２に移動することが容易となる。
【００５３】
また、昇降機１０は、車椅子の利用者が昇降するために設けられているので、扉部４の近傍に設けられていることが望ましい。しかしながら、扉部４の可動範囲は、収容部２の内部方向に開放されることとなるので、扉部４を開放したときに、昇降機１０と当接してしまうという問題点がある。
【００５４】
これに対して、本実施形態における昇降機１０は、昇降台１１が上昇したときに、収容部２の下部の所定の高さと、昇降台１１の高さとが略同等となるので、扉部４を開放したときであっても昇降機１０と当接することはない。
【００５５】
（酸素ルーム１の入室態様）
次に、図５を用いて、酸素ルーム１の入室態様の説明を行う。なお、図５は、酸素ルーム１の入室態様を示す図である。
【００５６】
車椅子の利用者が、酸素ルーム１の収容部２に入室する場合には、まず、図５（Ａ）に示すように、昇降機１０の昇降台１１を上昇させる。具体的には、フットポンプ１５のペダル１６が踏み込まれることにより、昇降台１１が上昇することとなる。
【００５７】
次に、図５（Ｂ）に示すように、車椅子の利用者は、スロープ２１を用いて、収容部２の内部に入室する。具体的には、車椅子の利用者は、収容部２の内部に入室し、昇降台１１の上に乗ることとなる。なお、スロープ２１を用いることで、昇降台１１に乗る際に段差を感じることなく乗ることができる。
【００５８】
次に、図５（Ｃ）に示すように、車椅子の利用者が収容部２の内部に入室した状態、より具体的には、昇降台１１に乗った状態において、フットポンプ１５のロック解除レバー１９を正面視右方向に操作することにより、昇降台１１が下降する。
【００５９】
（酸素ルーム１の退室態様）
次に、図６を用いて、酸素ルーム１の退室態様の説明を行う。なお、図６は、酸素ルーム１の退室態様を示す図である。
【００６０】
車椅子の利用者が、酸素ルーム１の収容部２から退室する場合には、まず、図６（Ａ）に示すように、車椅子の利用者は、昇降台１１の上に乗ることとなる。
【００６１】
次に、図６（Ｂ）に示すように、車椅子の利用者が昇降台１１に乗った状態において、昇降機１０の昇降台１１を上昇させる。具体的には、フットポンプ１５のペダル１６が踏み込まれることにより、昇降台１１が上昇することとなる。
【００６２】
次に、図６（Ｃ）に示すように、車椅子の利用者は、スロープ２１を用いて、収容部２から退室する。なお、スロープ２１を用いることで、昇降台１１から降りる際に段差を感じることなく退室することができる。
【００６３】
（第２実施形態）
次に、図７を用いて、第２実施形態における酸素ルーム１の説明を行う。なお、図７は、第２実施形態における酸素ルーム１の外観斜視図である。
【００６４】
第２実施形態における酸素ルーム１は、収容部２に対して、スロープ２１が取り付けられている。具体的には、収容部２には、スロープ２１を取り付けるための第１取付部（図示せず）が設けられている。
【００６５】
一方で、スロープ２１には、収容部２に取り付けるための第２取付部（図示せず）が設けられている。そして、収容部２に設けられた第１取付部と、スロープ２１に設けられた第２取付部とにより、スロープ２１が収容部２に取り付けられることとなる。
【００６６】
なお、第１取付部と、第２取付部との取り付け方については、適宜設定可能である。例えば、スロープ２１が収容部２に溶着されることにより取り付けられることとしてもよいし、第１取付部と、第２取付部とが係止されることにより取り付けられることとしてもよい。
【００６７】
（その他の実施形態）
以下において、その他の実施形態について説明を行う。
【００６８】
上記の各実施形態においては、ペダル１６を踏み込むことにより、昇降台１１が上昇することとなっているが、扉部４が開放している状態において、ペダル１６が踏み込まれた場合には、昇降台１１が上昇しないようにすることとしてもよい。
【００６９】
具体的には、扉部４が開放していることを検知するセンサを設け、このセンサは、扉部４が開放していることを検知した場合に、扉部４が開放している旨の情報を有する信号をフットポンプ１５に対して送信する。一方で、扉部４が閉塞している場合には、フットポンプ１５に対して信号が送信されることはない。
【００７０】
そして、フットポンプ１５が信号を受信している状態において、ペダル１６が踏み込まれた場合には、ペダル１６が踏み込まれたとしても、昇降台１１が上昇させることはない。また、フットポンプ１５が信号を受信していない状態において、ペダル１６が踏み込まれた場合には、昇降台１１が上昇することとなる。これにより、扉部４と昇降台１１とが衝突することを防止することができる。
【００７１】
一方で、フットポンプ１５が信号を受信している状態において、ロック解除レバー１９が操作された場合には、昇降台１１が下降することとなる。同様に、フットポンプ１５が信号を受信していない状態において、ロック解除レバー１９が操作された場合にも、昇降台１１が下降することとなる。これは、昇降台１１が下降しても、扉部４と衝突することがないためである。
【００７２】
また、上記の各実施形態においては、フットポンプ１５により昇降台１１の上昇、下降を行うこととしているが、リモコンにより昇降台１１の上昇、下降を行うこととしてもよい。
【００７３】
具体的には、昇降台１１を上昇させるための上昇ボタンと、昇降台１１を下降させるための下降ボタンとをリモコンに設け、上昇ボタンが操作された場合には、昇降台１１を上昇させ、下降ボタンが操作された場合には、昇降台１１を下降させる。
【００７４】
また、上記の各実施形態においては、油圧シリンダ１８を用いて昇降台１１を昇降させることとしているが、これに限定されることはなく、例えば、昇降台１１の昇降について、電動式を採用することもできる。
【００７５】
このように、本発明によれば、扉部４の可動範囲の下方に昇降機１０を備えている。これにより、車椅子の利用者の入室や、退室が容易となるので、車椅子の利用者が利用することが可能な酸素ルームを提供することができる。
【００７６】
また、本発明によれば、ロック解除レバー１９が操作されることで、昇降台１１が下降される。そして、昇降台１１が下降されると、昇降台１１と床部２２とが略水平となる。これにより、昇降台１１に乗っている車椅子の利用者が昇降台１１から降り易くなる。
【００７７】
なお、本実施形態において、「収容部２」は、本発明の「収容部」を構成する。
【００７８】
また、本実施形態において、「開口部３」は、本発明の「開口部」を構成する。
【００７９】
また、本実施形態において、「気圧制御ユニット６」は、本発明の「気圧制御部」を構成する。
【００８０】
また、本実施形態において、「扉部４」は、本発明の「扉部」を構成する。
【００８１】
また、本実施形態において、「昇降機１０」は、本発明の「昇降機」を構成する。
【００８２】
また、本実施形態において、「床部２２」は、本発明の「床部」を構成する。
【００８３】
なお、本実施形態において、「昇降台１１」は、本発明の「昇降台」を構成する。
【００８４】
なお、本実施形態において、「ペダル１６」は、本発明の「上昇操作受付部」を構成する。
【００８５】
なお、本実施形態において、「ロック解除レバー１９」は、本発明の「下降操作受付部」を構成する。
【００８６】
なお、本発明の実施について図面を用いて説明したが、具体的な構成はこれらの実施形態に限られるものではなく、本発明の要旨を逸脱しない範囲の設計変更等があっても本発明に含まれる。また、各図面で示した実施形態は、その目的及び構成等に矛盾や問題がない限り、互いの記載内容を組み合わせることが可能である。また、各図面の記載内容はそれぞれ独立した実施形態になり得るものであり、本発明の実施形態は各図面を組み合わせた一つの実施形態に限定されるものではない。
【符号の説明】
【００８７】
１      酸素ルーム
２      収容部
３      開口部
４      扉部
５      窓部
６      気圧制御ユニット
６ａ    気圧制御ユニット用電源ボタン
６ｂ    受話器
６ｃ    制御パネル
７      濃縮酸素装置
７ａ    濃縮酸素装置用電源ボタン
８      外側酸素排出弁
９      内側酸素排出弁
１０    昇降機
１１    昇降台
１２    リンクフレーム
１３    ベースフレーム
１４    手摺り
１５    フットポンプ
１６    ペダル
１７    油圧ホース
１８    油圧シリンダ
１９    ロック解除レバー
２０    パッキン
２１    スロープ
２２    床部
【図１】
2020081422.tif 000003
【図２】
2020081422.tif 000004
【図３】
2020081422.tif 000005
【図４】
2020081422.tif 000006
【図５】
2020081422.tif 000007
【図６】
2020081422.tif 000008
【図７】
2020081422.tif 000009